(57)【要約】      （修正有）【課題】吸収性物品のシートの薄さを保持しつつシートの単位面積当たりの隆起高さをより高め、排泄液をより多く吸収する。【解決手段】本発明の吸収性物品は、表側シート５１と、その裏側に配された裏側シート５２とを有し、前記表側シートと前記裏側シートとが接合されて多数のセルが形成され、前記セル内に高吸収性ポリマー粒子５３を含む粉粒体が収められて吸収体が構成され、前記高吸収性ポリマー粒子を含む粉粒体の少なくとも一部は前記表側シート及び前記裏側シートの少なくともいずれか一方に固着されておらず、前記表側シート及び前記裏側シートのうち、少なくとも一方の、シートどうしが接合された部位以外の部位は、襞型に収縮加工されたものである、ことを特徴とする。【選択図】図１２
2019063127.tif 000002
【特許請求の範囲】
【請求項１】
表側シートと、
その裏側に配された裏側シートとを有し、
前記表側シートと前記裏側シートとが接合されて多数のセルが形成され、
前記セル内に高吸収性ポリマー粒子を含む粉粒体が収められて吸収体が構成され、
前記高吸収性ポリマー粒子を含む粉粒体の少なくとも一部は前記表側シート及び前記裏側シートの少なくともいずれか一方に固着されておらず、
前記表側シート及び前記裏側シートのうち、少なくとも一方の、シートどうしが接合された部位以外の部位は、襞型に収縮加工されたものである、
ことを特徴とする吸収性物品。
【請求項２】
前記襞型が、前記吸収体の幅方向に収縮する波型である、請求項１に記載の吸収性物品。
【請求項３】
前記収縮加工された襞型の収縮率が１５〜５０％である、請求項１又は請求項２に記載の吸収性物品。
【請求項４】
前記セルは、吸収体の幅方向に長い矩形格子状である、請求項１〜請求項３のいずれか１項に記載の吸収性物品。
【請求項５】
前記矩形格子状のセルを形成する接合部のうち前後方向に延在する接合部は、弱接合部である、請求項４に記載の吸収性物品。
【請求項６】
前記表側シート及び前記裏側シートのうち、少なくとも一方のシートは、前記収縮率が高い範囲と低い範囲とに繰り返し加工されたものである、請求項１〜請求項５のいずれか１項に記載の吸収性物品。
【請求項７】
前記高吸収性ポリマー粒子の目付けは、前記収縮率が高い範囲では前記収縮率が低い範囲よりも高くされている、請求項６に記載の吸収性物品。
【発明の詳細な説明】
【技術分野】
【０００１】
本発明は、使い捨ておむつ、生理用ナプキン等の吸収性物品に関するものである。
【背景技術】
【０００２】
吸収性物品は、吸収体と、この吸収体の表側を被覆する液透過性トップシートとを備えており、尿や経血等の排泄液はトップシートを透過して吸収体により吸収され保持されるようになっている。吸収体としては、粉砕パルプ等の親水性短繊維に高吸収性ポリマー粒子（ＳＡＰ）を混合し綿状に積繊したものが広く採用されている。そこで、特許文献１は、「前記吸収性部位は、体液を吸収すると、前記高吸水性ポリマー粒子が膨張して前記吸収性部位における前記第１シートが前記厚さ方向の上方に向かって凸となるように隆起する一方、前記第２シートが前記厚さ方向の下方に向かって凸となるように隆起するか隆起することなくして厚さが厚くなるものであって、前記第１シートの前記上方に隆起する寸法が前記第２シートの前記下方に隆起する寸法よりも大きくなるように形成されている、吸収性物品。」を提案しており、これにより、湿潤した吸収性部位は、肌との接触面積が少なくて肌に湿潤感を与えることが少なく、肌と非吸収性部位との間には通気性の間隙が生じる、としている。つまり、同文献は、第１シートと第２シートにそれぞれ異なる伸長率の素材を用いることによる隆起の差によって通気性のよさを確保するというものである。
【先行技術文献】
【特許文献】
【０００３】
【特許文献１】特開２０１０−６３８１５号公報
【発明の概要】
【発明が解決しようとする課題】
【０００４】
しかしながら、特許文献１の方法においては、シート自体の伸長率が決まっていることから、囲み部（セル）内の容積も決まってくる。そのため、高吸収性ポリマー粒子の収容量に限度があり、高吸収性ポリマー粒子を収容する許容量を超過すると、ゲルブロッキングを引き起こしたり、高吸収性ポリマー粒子そのものが、伸長したシートの繊維の隙間からシートの外部へ流出したりする。したがって、同文献におけるシートの隆起高さには限界があると言わざるを得ない。
そこで、本発明が解決しようとする課題は、シートの薄さを保持しつつシートの単位面積当たりの隆起高さをより高め、排泄液をより多く吸収する吸収性物品を提供することにある。
【課題を解決するための手段】
【０００５】
上記課題を解決するための代表的な手段は、以下のとおりである。
【０００６】
＜請求項１に記載の発明＞
表側シートと、
その裏側に配された裏側シートとを有し、
前記表側シートと前記裏側シートとが接合されて多数のセルが形成され、
前記セル内に高吸収性ポリマー粒子を含む粉粒体が収められて吸収体が構成され、
前記高吸収性ポリマー粒子を含む粉粒体の少なくとも一部は前記表側シート及び前記裏側シートの少なくともいずれか一方に固着されておらず、
前記表側シート及び前記裏側シートのうち、少なくとも一方の、シートどうしが接合された部位以外の部位は、襞型に収縮加工されたものである、
ことを特徴とする吸収性物品。
【０００７】
（作用効果）
表側シートと裏側シートを接合して多数のセルを形成しており、その表側シート及び裏側シートのうち少なくとも一方は襞型に収縮加工されている。セル内部の高吸収性ポリマー粒子は、排泄液によって膨張して当該シートの襞を伸ばす。その結果、当該シートが吸収体の平面に対して上下方向に隆起する、という効果を有する。特に、当該シートが不織布である場合、高吸収性ポリマー粒子が膨張すると、襞がなくても不織布自身の伸長特性によりある程度隆起するが、襞があることでより顕著に隆起する。また、襞型を有することでセル内の粉粒体は自由な移動が制限される。
【０００８】
＜請求項２に記載の発明＞
前記襞型が、前記吸収体の幅方向に収縮する波型である、請求項１に記載の吸収性物品。
【０００９】
（作用効果）
横方向に収縮加工して形成された縦縞の襞型を吸収体の前後方向に配置することで、横方向への排泄液の拡散と粉粒体の移動をある程度遮るという効果を有する。
【００１０】
＜請求項３に記載の発明＞
前記収縮加工された襞型の収縮率が１５〜５０％である、請求項１又は請求項２に記載の吸収性物品。
【００１１】
（作用効果）
収縮率を任意に選択することで、隆起する高さと、粉粒体の移動のし易さが、異なる吸収体を形成できる。１５％を下回ると、ほぼ収縮していないため襞型が伸びて当該シートが隆起するという効果が得られない。一方、５０％を上回ると当該シートの襞型が密になり過ぎ、吸収体が厚手なものとなり、吸収体の利点である薄さが活かされない。
【００１２】
＜請求項４に記載の発明＞
前記セルは、吸収体の幅方向に長い矩形格子状である、請求項１〜請求項３のいずれか１項に記載の吸収性物品。
【００１３】
（作用効果）
各セルの格子が矩形であり、当該シートが横方向に収縮していることから、正方形で構成される格子よりも、各セル内により多くの粉粒体を収めることができ、また高く隆起させることができる。したがって、より多くの排泄液を吸収できる効果を有する。
【００１４】
＜請求項５に記載の発明＞
前記矩形格子状のセルを形成する接合部のうち前後方向に延在する接合部は、弱接合部である、請求項４に記載の吸収性物品。
【００１５】
（作用効果）
弱接合部に隣接するセル内の粉粒体が排泄液を吸収して隆起すると、接合が剥離して隣接するセルどうしが合体して大きなセルとなる。この大きなセルの当該シートも当然に収縮加工されているため、さらに当該シートの隆起を高くすることができ、排泄液の吸収量を増加させることができる。また、通常の接合部（弱接合部でないもの）は隆起しないので排泄液の拡散が方向付けられる。
【００１６】
＜請求項６に記載の発明＞
前記表側シート及び前記裏側シートのうち、少なくとも一方のシートは、前記収縮率が高い範囲と低い範囲とに繰り返し加工されたものである、請求項１〜請求項５のいずれか１項に記載の吸収性物品。
【００１７】
（作用効果）
収縮率の高い範囲と低い範囲が規則的に繰り返して加工されているので、高い範囲は高く隆起でき、低い範囲は低いものとなる。つまり、隆起高さに凹凸ができ、排泄液の吸収量を高い範囲では多め、低い範囲では少なめというように偏りを持たせることができる、という効果を有する。
【００１８】
＜請求項７に記載の発明＞
前記高吸収性ポリマー粒子の目付けは、前記収縮率が高い範囲では前記収縮率が低い範囲よりも高くされている、請求項６に記載の吸収性物品。
【００１９】
（作用効果）
高吸収性ポリマー粒子の目付け量に高低を設けることで、排泄液の吸収量の偏りを顕著化できる、という効果を有する。
【発明の効果】
【００２０】
本発明によると、シートの単位面積当たりの隆起高さをより高め、排泄液をより多く吸収できる吸収性物品となる。
【図面の簡単な説明】
【００２１】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の６−６断面図である。
【図４】図１の７−７断面図である。
【図５】（ａ）図１の８−８断面図、（ｂ）図１の９−９断面図である。
【図６】図１の５−５断面図である。
【図７】表側シート及び裏側シートの加工例である。
【図８】表側シート及び裏側シートの波型加工の概念図である。
【図９】接合部の接合パターンの実施例の平面図とその４−４断面図である。
【図１０】接合部の接合パターンの実施例の平面図である。
【図１１】収縮率に強弱をつけた吸収体の断面図である
【図１２】吸収体の膨張前後の断面図である。
【発明を実施するための形態】
【００２２】
以下、本発明を実施するための形態について説明する。
従来より吸収性物品は、例えば、使い捨ておむつ、生理用ナプキン等、その使用は多岐に亘る。その中でも、吸収性物品を使い捨ておむつの内部に装着した場合の形態を詳説する。なお、以下の説明及び図面は、本発明の一実施形態を示したものにすぎない。
【００２３】
図１〜７に示すように、本発明の吸収性物品は、表側シート５１と、その裏側に配された裏側シート５２とを有し、前記表側シート５１と前記裏側シート５２とが接合されて多数のセル５５が形成され、前記セル５５内に高吸収性ポリマー粒子５３を含む粉粒体が収められて吸収体５０が構成され、前記高吸収性ポリマー粒子５３を含む粉粒体の少なくとも一部は前記表側シート５１及び前記裏側シート５２の少なくともいずれか一方に固着されておらず、前記表側シート及び前記裏側シートのうち、少なくとも一方の、シートどうしが接合された部位以外の部位は、襞型に収縮加工されたものである、ことを特徴とする。また、好ましくは、その襞型が、吸収体５０の幅方向ＷＤに収縮加工されたものであるとよい。
【００２４】
（襞の形状）
表側シート５１、裏側シート５２（以下、表側、裏側を特定して説明する必要のない場合は、単に「シート５１、５２」と記載する。）の襞とは、シート５１、５２において、突起部とへこみ部が規則的に繰り返して形成された面をいう。シート５１、５２の素材は、後述するように液透過性素材又は液不透過性素材、不織布等を用いることができる。この不織布を例えば規則的に折り畳み、加圧処理することで、波形状の襞型が形成される。また、凹凸ロールで加圧処理することで、波形状や凹凸形状の襞型が形成される。加工された襞型の不織布は、その形状が維持され、自然に加工前の襞のない状態には戻らない。
襞と襞との間隔（一周期）は３〜２５ｍｍ、襞の振幅は１〜２５ｍｍとするのが好ましい。
襞型に加工されたシート５１、５２に対し襞を伸ばす方向に力を加えると、襞は容易に伸びる。したがって、高吸収性ポリマー粒子５３を内包した襞型に加工されたシート５１、５２に液体を吸収させると高吸収性ポリマー粒子５３の膨張により、このシート５１、５２の襞も少なくとも収縮率（収縮率の定義は、後述する。）の分だけ伸びることになる。なお、不織布自体もある程度の伸張性を有する。
図７に示すようにシート５１、５２の襞型の加工は、例えば、波型加工、凹凸加工、凹凸の窪みの底が幅広となった変形型凹凸加工、あるいは、ジグザグ線上に半円弧を連続して並べた軌跡形状とした加工にすることができる。
さらには、襞型の加工は、平面的に行うこともできる。例えば、突起形状が多数の格子点のごとく平面的に広がる加工などがある。
しかしながら、これらの加工に限定されるものではない。シート５１、５２の襞型は、高吸収性ポリマー粒子５３の膨張により襞が広がり、セル５５が隆起したときのセル５５のシート５１、５２の面積が、隆起前のセル５５そのものの面積より大きくなるように加工されていれば足りる。
なお、吸収性物品は、原則的にはこれらの加工により形成された表側シート５１と裏側シート５２と高吸収性ポリマー粒子５３とで構成されるものであり、別途新たなシート等の介在を要しないため、従来の薄さを保持できる。
【００２５】
（襞の方向）
図８に示すように、襞の方向については、シート５１、５２に波型加工を施した場合を例にすると、シート５１、５２の表面には、山折り部の直線が平行して多数形成され、裏面には、谷折り部の直線が同様に平行して同数形成される、いわゆる、ストライプ型に形成される。この山折り部の直線方向は、吸収体５０の前後方向ＬＤに対して、平行に配してよく、また、垂直に配してもよい。ただし、以下便宜上、特段言及がない場合は、平行に配するものとして説明する。
【００２６】
（収縮）
上記加工されたシート５１、５２は、加工前のシート５１、５２と比較し、収縮する。ここで、収縮率は次のように定義される。
収縮率（％）＝（加工前のシート５１、５２の面積−加工後のシート５１、５２の面積）／（加工前のシート５１、５２の面積）×１００
【００２７】
上述した伸長率は、シートの両側からそれぞれ反対方向に、シートを引っ張って伸ばした場合の、元のシート長に対する伸び率をいうものであり、ここでいう収縮率とは異なる概念である。
【００２８】
ところで、排泄液をより多く吸収できたほうがよいとする観点からは、収縮率を高めて、高吸収性ポリマー粒子５３を多く内包するのがよい。しかし、必要以上に高い収縮率にすると、初期状態時、つまり、製品を使用する前段階において襞の折りたたみが密なため、シート５１、５２が嵩張り、吸収体５０が厚手なものとなり、吸収体５０の利点である薄さが活かされず不便である。一方で、所定を下回る収縮率とすると、襞型が伸びてシート５１、５２が隆起するという効果が十分に得られない。したがって、収縮率は、例えば、１５〜５０％、より好ましくは、３５％とする。
【００２９】
（セル５５の形状）
セル５５とは、表側シート５１とその表側シート５１の裏側に配された裏側シート５２を接合して形成される、仕切られた一定容積を有する空間をいう。例えば、正方形状のセル５５を形成する場合は、表側シート５１とそれに配された裏側シート５２について正方形の各辺上を接合すればよい。
高吸収性ポリマー粒子５３は、原則的にはセル５５に収容される。しかし、表側シート５１と裏側シート５２の縁部付近に存在する高吸収性ポリマー粒子５３が外部へ流出することを防ぐため、表側シート５１と裏側シート５２の縁部一周に渡り縁部接合部を延在しておくことが好ましい。
【００３０】
セル５５のシート５１、５２は襞型に収縮加工されたものであるため、セル５５内の高吸収性ポリマー粒子５３が排泄液を吸収すると、襞型が高吸収性ポリマー粒子５３の膨張により伸びる。これによって、セル５５のシート５１、５２は、風船状に膨張する。
【００３１】
（接合部のパターン）
図９及び図１０に示すように、接合部のパターンとして、次のものとしてもよい。なお、図９については、表側シート５１が膨張する場合を例として示しているが、裏側シート５２が膨張する場合や、表側シート５１及び裏側シート５２の両方が膨張する場合も当然可能な形態である。
【００３２】
パターン１に、格子状の接合部を配置することができる。またより好ましくは吸収体５０の前後方向ＬＤに沿うようにヨコ長の矩形格子状の接合部５４を配置することができる。格子状に仕切られた各セル５５の幅方向ＷＤの長さａａは、前後方向ＬＤの長さｂｂよりも長くする。セル５５の大きさは、例えば、タテ８〜３０ｍｍ、ヨコ１０〜５０ｍｍ程度とすることが好ましい。こうすると、襞型の山折り部の方向が前後方向ＬＤと平行であるのでシート５１、５２は幅方向ＷＤに伸び、隆起したときの嵩が高くなり、その分排泄液を従来以上に吸収できる。また、嵩高に隆起することにより装着者の肌との接触面積が小さくなり、装着時の違和感が軽減される。さらに、下述の通り、高吸収性ポリマー粒子５３の一部は、少なくともシート５１、５２に対して非固着とすることができる。この場合、高吸収性ポリマー粒子５３はセル５５内で自由に移動可能であるが、シート５１、５２を襞型とすることで襞に引っかかり、自由な移動がある程度制限され、高吸収性ポリマー粒子５３の偏在を防ぐ効果もある。
【００３３】
パターン２に、図１０左上に示すように、まず、上記パターン１と同様に矩形格子状の接合部５４を配置したうえで、幅方向ＷＤ中央に位置する、隣り合う２つのセル５５を特定する。その２つのセル５５から前後方向ＬＤに延在するセル５５列のうち、千鳥状に位置するセル５５群を更に特定する。そのセル５５群の各々について、４区画の矩形に等分に仕切るように接合部５４を設ける。こうすると、隆起したときに吸収体５０の幅方向ＷＤの中央２列において隆起の嵩高さに差ができるため、排泄液の拡散の方向性にバリエーションができる。
【００３４】
パターン３に、格子状の接合部５４及び襞型の向きを上記パターン１と同様に配置する。ただし、前後方向ＬＤの接合部の接合強度を弱とする。セル５５の大きさは、例えば、タテ８〜３０ｍｍ、ヨコ（弱接合部５４ｂ間の距離）１０〜５０ｍｍ程度とすることが好ましい。こうすると、高吸収性ポリマー粒子５３の膨張により弱接合部５４ｂが剥離する。シート５１、５２は、隆起して幅方向ＷＤに延在する略半筒状となる。この略半筒形状の延在物が前後方向ＬＤに並列に複数本形成されるので、さらなる排泄液は前後方向ＬＤに拡散しづらくなる。また、パターン１と比較して弱接合部５４ｂも隆起する余地があるため排泄液の吸収を多く見込める。
【００３５】
パターン４に、幅方向ＷＤの端部からもう一方の端部まで、接合部５４を波形状に形成し、その波形状を前後方向ＬＤに複数本配置する。複数本の波形状が密に配されることで、ほぼ閉じられた空間（セル５５）が波形状間に形成される。波形状の大きさは、例えば、周期長さ２０〜１００ｍｍ、振幅８〜３０ｍｍ程度とすることが好ましい。こうすると、接合部５４が直線でないため排泄液が直線的に拡散せず、吸収体５０の端部までの排泄液の拡散が遅くなり、液漏れ防止効果がある。
【００３６】
パターン５に、平面に菱形を隙間なく敷き詰めた形状、すなわち、斜方格子状にするとよい。菱形のセル５５の対角線の長さは、例えば、タテ８〜３０ｍｍ、ヨコ１０〜５０ｍｍ程度とすることが好ましい。こうすると、排泄液の拡散が斜め方向に広がり、幅方向ＷＤや前後方向ＬＤに直接的に拡散することを防止できる。
【００３７】
（隆起）
次に高吸収性ポリマー粒子５３の膨張について説明する。
排泄液がシート５１、５２を透過しセル５５内の高吸収性ポリマー粒子５３に吸収されると、その高吸収性ポリマー粒子５３は所定の体積に膨張する。隣在する高吸収性ポリマー粒子５３も排泄液の吸収により、続いて膨張する。このように隣在する高吸収性ポリマー粒子５３は、次々と膨張していき、セル５５のシート５１、５２に形成された襞型を押し広げようとする。その結果、当初排泄液を吸収する前の萎んでいたシート５１、５２の襞型が、内部の高吸収性ポリマー粒子５３の膨張力によって展開して広がり隆起した状態となる。なお、図１２は表側シート５１が膨張する場合を例に示しているが、裏側シート５２が膨張する場合や、表側シート５１及び裏側シート５２の両方が膨張する場合も当然可能な形態である。
【００３８】
なお、前述した、特許文献１では、高吸収性ポリマー粒子５３の吸収によりシートが隆起するとしているが、これは、シート自体の伸長率によるものである。一方、本発明における隆起は、シート自体の伸長率によるものではなく、あらかじめ加工された襞型が展開して広がったことによるものであり、隆起する手段が全く異なるものである。また、本発明では、収縮率を任意に変更することによって、吸収性物品の目的に応じて隆起の嵩高さの程度を調節できるという利点を有する。
【００３９】
（収縮率の高低）
シート５１、５２は、収縮率に高低差をつけたものを使用してもよい。つまり、収縮率が高い範囲と低い範囲が規則的に繰り返して加工されるものを使用できる。例えば、波加工において収縮率が３０％（高収縮率）の部分と、１５％（低収縮率）の部分を交互に繰り返すように加工することができる。
【００４０】
（高低差のある実施例）
図１１に示すように、上記パターン１の格子状のセル５５について、収縮率に高低差を設けると、高収縮率で形成されたセル５５列と、低収縮率で形成されたセル５５列が幅方向ＷＤに交互に繰り返す吸収体５０を形成することができる。この吸収体５０が排泄液を吸収すると、高く隆起するセル５５と低く隆起するセル５５が幅方向ＷＤに交互に形成されるため、排泄液の幅方向ＷＤへの拡散を防ぐ効果が期待できる。
また、シート５１、５２の収縮率を幅方向ＷＤの中央付近のセル５５列は高めとし、左右の端部のセル５５列は低めとすると、排泄液の吸収により中央付近のセル５５列の方が端部のセル５５列と比較し、より高く隆起する吸収体５０となる。この吸収体５０は、特に一回の排泄液の量は少ないが、複数回に亘り排泄するケースに対応できる。
さらに、隆起高さの差を顕著にするため、高吸収性ポリマー粒子５３の目付け量に差を設けてもよい。高収縮率で形成されたセル５５内の高吸収性ポリマー粒子５３の目付け量を２００〜３５０ｇ／ｍ2、低収縮率で形成されたセル５５内の目付量を５０〜２００ｇ／ｍ2とするとよい。なお、図１１は表側シート５１が膨張する場合を例に示しているが、裏側シート５２が膨張する場合や、表側シート５１及び裏側シート５２の両方が膨張する場合も当然可能な形態である。
【００４１】
＜吸収性物品の例＞
図１〜図６はテープタイプ使い捨ておむつの一例を示しており、図中の符号Ｘはファスニングテープを除いたおむつの全幅を示しており、符号Ｌはおむつの全長を示している。各構成部材は、以下に述べる固定又は接合部分以外も、必要に応じて公知のおむつと同様に固定又は接合される。これらの固定又は接合のための手段としては、ホットメルト接着剤や溶着（加熱溶着、超音波溶着）を適宜選択することができる。
【００４２】
このテープタイプ使い捨ておむつは、透液性トップシートと、外面側に位置する液不透過性シート１１との間に吸収体５０が介在された基本構造を有しており、吸収体５０の前側及び後側にそれぞれ延出する部分であって、かつ吸収体５０を有しない部分である腹側エンドフラップ部ＥＦ及び背側エンドフラップ部ＥＦを有するとともに、吸収体５０の側縁よりも側方に延出する一対のサイドフラップ部ＳＦを有している。背側部分Ｂにおけるサイドフラップ部ＳＦにはファスニングテープ１３がそれぞれ設けられており、おむつの装着に際しては、背側部分Ｂのサイドフラップ部ＳＦを腹側部分Ｆのサイドフラップ部ＳＦの外側に重ねた状態で、ファスニングテープ１３を腹側部分Ｆ外面の適所に係止する。
【００４３】
また、このテープタイプ使い捨ておむつでは、吸収性本体部１０並びに各サイドフラップ部ＳＦの外面全体が外装シート１２により形成されている。特に、吸収体５０を含む領域においては、外装シート１２の内面側に液不透過性シート１１がホットメルト接着剤等の接着剤により固定され、さらにこの液不透過性シート１１の内面側に吸収体５０、中間シート４０、及びトップシート３０がこの順に積層されている。トップシート３０及び液不透過性シート１１は図示例では長方形であり、吸収体５０よりも前後方向ＬＤ及び幅方向ＷＤにおいて若干大きい寸法を有しており、トップシート３０における吸収体５０の側縁よりはみ出る周縁部と、液不透過性シート１１における吸収体５０の側縁よりはみ出る周縁部とがホットメルト接着剤などにより接合されている。また液不透過性シート１１は、トップシート３０よりも若干幅広に形成されている。
【００４４】
さらに、この吸収性本体部１０の両側には、装着者の肌側に突出（起立）する側部立体ギャザー６０が設けられており、この側部立体ギャザー６０を形成するギャザーシート６２が、トップシート３０の両側部上から各サイドフラップ部ＳＦの内面までの範囲に固着されている。
【００４５】
以下、各部の詳細について順に説明する。
（外装シート）
外装シート１２は製品外面を構成するシートである。外装シート１２は、両側部における前後方向ＬＤの中央部が括れた形状とされており、ここが着用者の脚を囲む部位となる。外装シート１２としては不織布が好適であるが、これに限定されない。不織布の種類は特に限定されず、素材繊維としては、例えばポリエチレン又はポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。外装シート１２は省略することもでき、その場合には液不透過性シート１１を外装シート１２と同形状として、製品外面を構成することができる。
【００４６】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、この他にも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂又は疎水性樹脂や撥水剤の塗工といった方法により、防水フィルムを用いずに液不透過性としたシートも、液不透過性シート１１として用いることができる。
【００４７】
（トップシート）
トップシート３０は液透過性を有する有孔又は無孔の不織布を用いることができる。不織布の構成繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００４８】
（中間シート）
中間シート４０は、トップシート３０を透過した排泄液を吸収体５０側へ速やかに移動させるため、及び逆戻りを防ぐために、トップシート３０の裏面に接合されているものである。中間シート４０及びトップシート３０間の接合は、ホットメルト接着剤を用いる他、ヒートエンボスや超音波溶着を用いることもできる。中間シート４０としては、不織布を用いる他、多数の透過孔を有する樹脂フィルムを用いることもできる。不織布としては、トップシート３０の項で説明したものと同様の素材を用いることができるが、トップシート３０より親水性が高いものや、繊維密度が高いものが、トップシート３０から中間シート４０への液の移動特性に優れるため好ましい。
【００４９】
図示の形態の中間シート４０は、吸収体５０の幅より短く中央に配置されているが、全幅にわたって設けてもよい。中間シート４０の前後方向ＬＤの長さは、おむつの全長と同一でもよいし、吸収体５０の長さと同一でもよいし、液を受け入れる領域を中心にした短い長さ範囲内であってもよい。
【００５０】
（側部立体ギャザー）
トップシート３０上における排泄物の横方向移動を阻止し、横漏れを防止するために、幅方向ＷＤにおける製品の両側の内面から突出（起立）する側部立体ギャザー６０を設けるのは好ましい。
【００５１】
この側部立体ギャザー６０は、ギャザーシート６２と、このギャザーシート６２に前後方向ＬＤに沿って伸長状態で固定された細長状弾性伸縮部材６３とにより構成されている。このギャザーシート６２としては撥水性不織布を用いることができ、また弾性伸縮部材６３としては糸ゴム等を用いることができる。弾性伸縮部材６３は、図１及び図３に示すように各複数本設ける他、各１本設けることができる。
【００５２】
ギャザーシート６２の内面は、トップシート３０の側部上に幅方向ＷＤの固着始端を有し、この固着始端から幅方向ＷＤの外側の部分は、液不透過性シート１１の側部および当該部分に位置する外装シート１２の側部にホットメルト接着剤などにより固着されている。
【００５３】
脚周りにおいては、側部立体ギャザー６０の固着始端より幅方向ＷＤの内側は、製品前後方向ＬＤの両端部ではトップシート３０上に固定されているものの、その間の部分は非固定の自由部分であり、この自由部分が弾性伸縮部材６３の収縮力により起立するようになる。おむつの、装着時には、おむつが舟形に体に装着されるので、そして弾性伸縮部材６３の収縮力が作用するので、弾性伸縮部材６３の収縮力により側部立体ギャザー６０が起立して脚周りに密着する。その結果、脚周りからのいわゆる横漏れが防止される。
【００５４】
図示形態と異なり、ギャザーシート６２の幅方向ＷＤの内側の部分における前後方向ＬＤの両端部を、幅方向ＷＤの外側の部分から内側に延在する基端側部分と、この基端側部分の幅方向ＷＤの中央側の端縁から身体側に折り返され、幅方向ＷＤの外側に延在する先端側部分とを有する二つ折り状態で固定し、その間の部分を非固定の自由部分とすることもできる。
【００５５】
（平面ギャザー）
各サイドフラップ部ＳＦには、図１〜図３に示すように、ギャザーシート６２の固着部分のうち固着始端近傍の幅方向ＷＤの外側において、ギャザーシート６２と液不透過性シート１１との間に、糸ゴム等からなる脚周り弾性伸縮部材６４が前後方向ＬＤに沿って伸長された状態で固定されており、これにより各サイドフラップ部ＳＦの脚周り部分が平面ギャザーとして構成されている。脚周り弾性伸縮部材６４はサイドフラップ部ＳＦにおける液不透過性シート１１と外装シート１２との間に配置することもできる。脚周り弾性伸縮部材６４は、図示例のように各側で複数本設ける他、各側に１本のみ設けることもできる。
【００５６】
（ファスニングテープ）
図１、図２及び図６に示されるように、ファスニングテープ１３は、おむつの側部に固定されたテープ取付部１３Ｃ、及びこのテープ取付部１３Ｃから突出するテープ本体部１３Ｂをなすシート基材と、このシート基材におけるテープ本体部１３Ｂの幅方向ＷＤの中間部に設けられた、腹側に対する係止部１３Ａとを有し、この係止部１３Ａより先端側が摘み部とされたものである。ファスニングテープ１３のテープ取付部１３Ｃは、サイドフラップ部における内側層をなすギャザーシート６２及び外側層をなす外装シート１２間に挟まれ、かつホットメルト接着剤により両シート６２，１２に接着されている。また、係止部１３Ａはシート基材に接着剤により剥離不能に接合されている。
【００５７】
係止部１３Ａとしては、メカニカルファスナー（面ファスナー）のフック材（雄材）が好適である。フック材は、その外面側に多数の係合突起を有する。係合突起の形状としては、レ字状、Ｊ字状、マッシュルーム状、Ｔ字状、ダブルＪ字状（Ｊ字状のものを背合わせに結合した形状のもの）等が存在するが、いずれの形状であっても良い。もちろん、ファスニングテープ１３の係止部として粘着材層を設けることもできる。
【００５８】
また、テープ取付部からテープ本体部までを形成するシート基材としては、スパンボンド不織布、エアスルー不織布、スパンレース不織布等の各種不織布の他、プラスチックフィルム、ポリラミ不織布、紙やこれらの複合素材を用いることができる。
【００５９】
（ターゲットシート）
腹側部分Ｆにおけるファスニングテープ１３の係止箇所には、係止を容易にするためのターゲットを有するターゲットシート１２Ｔを設けるのが好ましい。ターゲットシート１２Ｔは、係止部がフック材１３Ａの場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。また、腹側部分Ｆにおけるファスニングテープ１３の係止箇所が不織布からなる場合、例えば図示形態の外装シート１２が不織布からなる場合であって、ファスニングテープ１３の係止部がフック材１３Ａの場合には、ターゲットシート１２Ｔを省略し、フック材１３Ａを外装シート１２の不織布に絡ませて係止することもできる。この場合、ターゲットシート１２Ｔを外装シート１２と液不透過性シート１１との間に設けてもよい。
【００６０】
（吸収体）
吸収体５０は、排泄物の液分を吸収保持する部分である。吸収体５０は、表側シート５１と、その裏側に配された裏側シート５２と、高吸収性ポリマー粒子５３で構成される。高吸収性ポリマー粒子５３を、吸収体から脱落しないようにするために、表側シート５１と裏側シート５２で挟み、その周囲を接合して形成されたセル５５の中に収容する。このようにして、吸収体５０は多数のセル５５を有することができる。また、表側シート５１と裏側シート５２との間にさらに、図示しない中側シート８０を配することができる。
吸収体５０は、その表裏少なくとも一方側の部材に対してホットメルト接着剤等の接着剤を介して接着（接合）することができる。セル５５の接合部５４は、一様なパターンで接合しており、表側シート５１、裏側シート５２は、上述の襞型加工されたものである。接合部５４により囲まれた多数のセル５５に高吸収性ポリマー粒子５３を分配保持させることにより、吸収体５０における高吸収性ポリマー粒子５３の偏在を防止できる。
また、吸収体５０は、図示しない包装シートにより包装することができる。この場合、一枚の包装シートを吸収体５０の表裏面及び両側面を取り囲むように筒状に巻き付ける他、２枚の包装シートで表裏両側から挟むようにして包装することができる。包装シートとしては、ティッシュペーパ、特にクレープ紙、不織布、ポリラミ不織布、小孔が開いたシート等を用いることができる。ただし、高吸収性ポリマー粒子５３が抜け出ないシートであるのが望ましい。包装シートに不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。包装シートで吸収体５０を包装する場合、吸収体５０の表裏いずれか一方側にパルプ繊維を積繊させ、これらをひとまとめで包装シートで包装することもできる。
【００６１】
表側シート５１は、吸収体５０の形成素材であり、裏側シート５２と一対として用い、高吸収性ポリマー粒子５３を吸収体５０内に保持するものである。表側シート５１は、液透過性素材であっても、液不透過性素材であっても良いが、図示形態のようにトップシート３０側に位置する場合には液透過性素材であることが好ましい。表側シート５１は、トップシート３０と同様に、有孔又は無孔の不織布や多孔性プラスチックシートを用いることができる。表側シート５１に不織布を用いる場合、その構成繊維としては、例えばポリエチレン又はポリプロピレン等のオレフィン系、ポリエステル系、ポリアミド系等の合成繊維（単成分繊維の他、複合繊維も含む）の他、レーヨンやキュプラ等の再生繊維、綿等の天然繊維等、特に限定なく選択することができるが、熱加工性に優れる点で熱可塑性樹脂の繊維が好適である。不織布の繊維結合法は特に限定されないが、高吸収性ポリマー粒子５３の脱落を防止するため、スパンボンド法、メルトブローン法、ニ一ドルパンチ法のように繊維密度が高くなる結合法が好ましい。多孔性プラスチックシートを用いる場合、その開孔径は、高吸収性ポリマー粒子５３の脱落を防止するため、高吸収性ポリマー粒子５３の外形より小さくするのが好ましい。また、表側シート５１の素材が疎水性の場合には、親水剤を含有させることもできる。
【００６２】
製造時の高吸収性ポリマー粒子５３の配置を容易にするため、及び吸収膨張後の容積確保のために、表側シート５１における各セル５５を構成する部分には、裏側から表側に窪む窪みが形成されていると好ましいが、形成されていなくてもよい。
【００６３】
裏側シート５２は、表側シート５１と一対として用い、高吸収性ポリマー粒子５３を吸収体５０内に保持するものである。裏側シート５２としては、表側シート５１と同様の素材とすることもできるが、表側シート５１を液透過性素材により構成する場合には、裏側シート５２に液不透過性素材を採用することもできる。裏側シート５２に用いうる液不透過性素材としては、液不透過性シート１１の項で述べた素材の中から適宜選択して用いることができる。図示しないが、表側シート５１及び裏側シート５２は、一枚の素材が二つに折り重ねられた一方の層及び他方の層とすることもできる。
また、中側シート８０は、表側シート５１と同様の素材とすることができ、液透過性素材であっても、液不透過性素材であっても良い。図示しないが、表側シート５１、中側シート及び裏側シート５２は、一枚の素材を三つに折り重ねた三層で構成することもできる。
【００６４】
高吸収性ポリマー粒子５３は、原則的にはその全てを表側シート５１及び裏側シート５２に対して非固定とし、自由に移動可能とする。ただし、必ずしも全ての高吸収性ポリマー粒子５３が非固定である必要はなく、粒子５３の一部（例えば粒子５３全量の０〜５０質量％、好ましくは０〜３０質量％、より好ましくは０〜１０質量％）が表側シート５１及び裏側シート５２に接着又は粘着されていてもよい。また、高吸収性ポリマー粒子５３はある程度塊状化していても良い。
【００６５】
高吸収性ポリマー粒子５３としては、この種の吸収性物品に使用されるものをそのまま使用できる。高吸収性ポリマー粒子５３の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００６６】
高吸収性ポリマー粒子５３の材料としては、特に限定無く用いることができるが、吸水量が４０ｇ／ｇ以上のものが好適である。高吸収性ポリマー粒子５３としては、でんぷん系、セル５５ロース系や合成ポリマー系などのものがあり、でんぷん−アクリル酸（塩）グラフト共重合体、でんぷん−アクリロニトリル共重合体のケン化物、ナトリウムカルボキシメチルセル５５ロースの架橋物やアクリル酸（塩）重合体などのものを用いることができる。高吸収性ポリマー粒子５３の形状としては、通常用いられる粉粒体状のものが好適であるが、他の形状のものも用いることができる。
【００６７】
高吸収性ポリマー粒子５３としては、吸水速度が７０秒以下、特に４０秒以下のものが好適に用いられる。吸水速度が遅すぎると、吸収体５０内に供給された液が吸収体５０外に戻り出てしまういわゆる逆戻りを発生しやすくなる。
【００６８】
また、高吸収性ポリマー粒子５３としては、ゲル強度が１０００Ｐａ以上のものが好適に用いられる。これにより、嵩高な吸収体５０とした場合であっても、液吸収後のべとつき感を効果的に抑制できる。
【００６９】
高吸収性ポリマー粒子５３の目付け量は、当該吸収体５０の用途で要求される吸収量に応じて適宜定めることができる。したがって一概には言えないが、５０〜３５０ｇ／ｍ2とすることができる。目付け量が５０ｇ／ｍ2未満では、吸収量を確保し難くなる。３５０ｇ／ｍ2を超えると、効果が飽和する。
【００７０】
表側シート５１及び裏側シート５２を接合する接合部５４は、吸収体５０の全体にわたり一様な配置で設けられているが、部分的に変更することもできる。接合部５４は、超音波溶着やヒートシールのように表側シート５１及び裏側シート５２の溶着により接合されていることが望ましいが、ホットメルト接着剤を介して接合されていても良い。
【００７１】
表側シート５１及び裏側シート５２の接合部５４は、各セル５５を取り囲むように配置され、隣接するセル５５間の境界となる限り、図示形態のように連続線状に形成する他、点線状（各セル５５を取り囲む方向に断続的）に形成することもできる。接合部５４を断続的に形成する場合、セル５５を取り囲む方向における接合部５４の間には、高吸収性ポリマー粒子５３が存在しないか又は存在するとしてもセル５５内よりも少ないものとされる。
【００７２】
接合部５４は、原則的には隣接するセル５５内の高吸収性ポリマー粒子５３の膨張力により剥離しない。しかし、弱接合部５４ｂは同膨張力により剥離可能である。というのも、高吸収性ポリマー粒子５３の一部は、少なくとも表側シート５１又は裏側シート５２に固着されておらず、これらシート５１、５２に挟まれた範囲で自由に移動可能であり、シート５１、５２の端から脱落する可能性がある。脱落させないために周囲を接合したセル５５を設けて、そのセル５５内に高吸収性ポリマー粒子５３を留めることとしている。これに対して排泄液を吸収させると、高吸収性ポリマー粒子５３は膨張するが、一つのセル５５の膨張後の容積には限度があり、ゲルブロッキングを引き起こし、十分な量の排泄液を吸収しきれない場合が生じ得る。そこで、高吸収性ポリマー粒子５３の膨張力で接合部が容易に剥離できるようにすることで、隣り合うセル５５どうしが合体して、より多くの排泄液を吸収できるようにする。したがって、弱接合部５４ｂを設けておくとよい。
【００７３】
一方で、幅方向ＷＤの最も外側に位置する接合部５４は、これが剥離すると吸収体５０の側方に高吸収性ポリマー粒子５３又はそのゲル化物が漏れ出るおそれがあるため接合部５４の強度を強くしておくことが望ましい。同様の観点から、表側シート５１及び裏側シート５２はセル５５形成領域よりも幅方向ＷＤの外側にある程度延在させ、この延在部分に補強のために縁部接合部５４ｃを施しておくのは好ましい。
【００７４】
接合部５４の接合強度（表側シート５１及び裏側シート５２の剥離に抗する強度）の差異は、接合部５４の面積を変化させることにより形成するのが簡単でよいが、これに限定されず、例えば接合部５４をホットメルト接着剤により形成する場合にはホットメルト接着剤の種類を部位により異ならしめるといった手法を採用することもできる。特に、表側シート５１及び裏側シート５２を溶着することにより接合部５４を形成する場合、弱接合部５４ｂは、接合部を点状にすることでも形成できる。
【００７５】
弱接合部５４ｂを剥離可能とするために、弱接合部５４ｂに隣接するセル５５の容積よりも当該セル５５内の高吸収性ポリマー粒子５３の飽和吸収時の体積が十分に大きくなるように、各セル５５内に配置される高吸収性ポリマー粒子５３の種類及び量を定めることができる。
【００７６】
上記例は、セル５５内に高吸収性ポリマー粒子５３のみ内包させているが、高吸収性ポリマー粒子５３とともに消臭剤粒子等、高吸収性ポリマー粒子５３以外の粉粒体を内包させることもできる。
【００７７】
＜明細書中の用語の説明＞
明細書中で以下の用語が使用される場合、明細書中に特に記載がない限り、以下の意味を有するものである。
・「ＬＤ方向」及び「ＷＤ方向」とは、製造設備における流れ方向（ＬＤ方向）及びこれと直交する横方向（ＷＤ方向）を意味し、いずれか一方が製品の前後方向となるものであり、他方が製品の幅方向となるものである。不織布のＬＤ方向は、不織布の繊維配向の方向である。繊維配向とは、不織布の繊維が沿う方向であり、例えば、ＴＡＰＰＩ標準法Ｔ４８１の零距離引張強さによる繊維配向性試験法に準じた測定方法や、前後方向及び幅方向の引張強度比から繊維配向方向を決定する簡易的測定方法により判別することができる。
・「展開状態」とは、収縮や弛み無く平坦に展開した状態を意味する。
・「伸長率」は、自然長を１００％としたときの値を意味する。
・「人工尿」は、尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したものであり、特に記載の無い限り、温度４０度で使用される。
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１０倍して１平米あたりの重さを算出し、目付けとする。
・「厚み」は、自動厚み測定器（ＫＥＳ−Ｇ５  ハンディー圧縮試験機）を用い、荷重：０．０９８Ｎ／ｃｍ2、及び加圧面積：２ｃｍ2の条件下で自動測定する。
・吸水量は、ＪＩＳ  Ｋ７２２３−１９９６「高吸水性樹脂の吸水量試験方法」によって測定する。
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
・試験や測定における環境条件についての記載がない場合、その試験や測定は、標準状態（試験場所は、温度２３±１℃、相対湿度５０±２％）の試験室又は装置内で行うものとする。
・各部の寸法は、特に記載がない限り、自然長状態ではなく展開状態における寸法を意味する。
【符号の説明】
【００７８】
１１…液不透過性シート、１２…外装シート、１２Ｔ…ターゲットシート、１３…ファスニングテープ、１３Ａ…係止部、１３Ｂ…テープ本体部、１３Ｃ…テープ取付部、３０…トップシート、４０…中間シート、６０…側部立体ギャザー、６２…ギャザーシート、５０…吸収体、５１…表側シート、５２…裏側シート、５３…高吸収性ポリマー粒子、５４…接合部、５４ｂ…弱接合部、５５…セル、８０…中側シート、Ｈ…高収縮率、Ｌ…低収縮率、ＬＤ…前後方向、ＷＤ…幅方向。
【図１】
2019063127.tif 000003
【図２】
2019063127.tif 000004
【図３】
2019063127.tif 000005
【図４】
2019063127.tif 000006
【図５】
2019063127.tif 000007
【図６】
2019063127.tif 000008
【図７】
2019063127.tif 000009
【図８】
2019063127.tif 000010
【図９】
2019063127.tif 000011
【図１０】
2019063127.tif 000012
【図１１】
2019063127.tif 000013
【図１２】
2019063127.tif 000014
【手続補正書】
【提出日】平成30年12月26日(2018.12.26)
【手続補正１】
【補正対象書類名】明細書
【補正対象項目名】全文
【補正方法】変更
【補正の内容】
【発明の詳細な説明】
【技術分野】
【０００１】
本発明は、使い捨ておむつ、生理用ナプキン等の吸収性物品に関するものである。
【背景技術】
【０００２】
吸収性物品は、吸収体と、この吸収体の表側を被覆する液透過性トップシートとを備えており、尿や経血等の排泄液はトップシートを透過して吸収体により吸収され保持されるようになっている。吸収体としては、粉砕パルプ等の親水性短繊維に高吸収性ポリマー粒子（ＳＡＰ）を混合し綿状に積繊したものが広く採用されている。そこで、特許文献１は、「前記吸収性部位は、体液を吸収すると、前記高吸水性ポリマー粒子が膨張して前記吸収性部位における前記第１シートが前記厚さ方向の上方に向かって凸となるように隆起する一方、前記第２シートが前記厚さ方向の下方に向かって凸となるように隆起するか隆起することなくして厚さが厚くなるものであって、前記第１シートの前記上方に隆起する寸法が前記第２シートの前記下方に隆起する寸法よりも大きくなるように形成されている、吸収性物品。」を提案しており、これにより、湿潤した吸収性部位は、肌との接触面積が少なくて肌に湿潤感を与えることが少なく、肌と非吸収性部位との間には通気性の間隙が生じる、としている。つまり、同文献は、第１シートと第２シートにそれぞれ異なる伸長率の素材を用いることによる隆起の差によって通気性のよさを確保するというものである。
【先行技術文献】
【特許文献】
【０００３】
【特許文献１】特開２０１０−６３８１５号公報
【発明の概要】
【発明が解決しようとする課題】
【０００４】
しかしながら、特許文献１の方法においては、シート自体の伸長率が決まっていることから、囲み部（セル）内の容積も決まってくる。そのため、高吸収性ポリマー粒子の収容量に限度があり、高吸収性ポリマー粒子を収容する許容量を超過すると、ゲルブロッキングを引き起こしたり、高吸収性ポリマー粒子そのものが、伸長したシートの繊維の隙間からシートの外部へ流出したりする。したがって、同文献におけるシートの隆起高さには限界があると言わざるを得ない。
そこで、本発明が解決しようとする課題は、シートの薄さを保持しつつシートの単位面積当たりの隆起高さをより高め、排泄液をより多く吸収する吸収性物品を提供することにある。
【課題を解決するための手段】
【０００５】
上記課題を解決するための代表的な手段は、以下のとおりである。
【０００６】
＜請求項１に記載の発明＞
表側シートと、
その裏側に配された裏側シートとを有し、
前記表側シートと前記裏側シートとが接合されて多数のセルが形成され、
前記セル内に高吸収性ポリマー粒子を含む粉粒体が収められて吸収体が構成され、
前記高吸収性ポリマー粒子を含む粉粒体の少なくとも一部は前記表側シート及び前記裏側シートの少なくともいずれか一方に固着されておらず、
前記表側シート及び前記裏側シートのうち、少なくとも一方の、シートどうしが接合された部位以外の部位は、襞型に収縮加工されたものであり、
前記表側シート及び前記裏側シートのうち、少なくとも一方のシートは、収縮率が高い範囲と低い範囲とに繰り返し加工されたものであり、
前記高吸収性ポリマー粒子の目付けは、前記収縮率が高い範囲では前記収縮率が低い範囲よりも高くされている吸収性物品。
【０００７】
表側シートと裏側シートを接合して多数のセルを形成しており、その表側シート及び裏側シートのうち少なくとも一方は襞型に収縮加工されている。セル内部の高吸収性ポリマー粒子は、排泄液によって膨張して当該シートの襞を伸ばす。その結果、当該シートが吸収体の平面に対して上下方向に隆起する、という効果を有する。特に、当該シートが不織布である場合、高吸収性ポリマー粒子が膨張すると、襞がなくても不織布自身の伸長特性によりある程度隆起するが、襞があることでより顕著に隆起する。また、襞型を有することでセル内の粉粒体は自由な移動が制限される。
収縮率の高い範囲と低い範囲が規則的に繰り返して加工されているので、高い範囲は高く隆起でき、低い範囲は低いものとなる。つまり、隆起高さに凹凸ができ、排泄液の吸収量を高い範囲では多め、低い範囲では少なめというように偏りを持たせることができる、という効果を有する。
高吸収性ポリマー粒子の目付け量に高低を設けることで、排泄液の吸収量の偏りを顕著化できる、という効果を有する。
【０００８】
＜請求項２に記載の発明＞
前記襞型が、前記吸収体の幅方向に収縮する波型である、請求項１に記載の吸収性物品。
【０００９】
（作用効果）
横方向に収縮加工して形成された縦縞の襞型を吸収体の前後方向に配置することで、横方向への排泄液の拡散と粉粒体の移動をある程度遮るという効果を有する。
【００１０】
＜請求項３に記載の発明＞
前記収縮加工された襞型の収縮率が１５〜５０％である、請求項１又は請求項２に記載の吸収性物品。
【００１１】
収縮率を任意に選択することで、隆起する高さと、粉粒体の移動のし易さが、異なる吸収体を形成できる。１５％を下回ると、ほぼ収縮していないため襞型が伸びて当該シートが隆起するという効果が得られない。一方、５０％を上回ると当該シートの襞型が密になり過ぎ、吸収体が厚手なものとなり、吸収体の利点である薄さが活かされない。
【００１２】
＜請求項４に記載の発明＞
前記セルは、吸収体の幅方向に長い矩形格子状である、請求項１〜請求項３のいずれか１項に記載の吸収性物品。
【００１３】
各セルの格子が矩形であり、当該シートが横方向に収縮していることから、正方形で構成される格子よりも、各セル内により多くの粉粒体を収めることができ、また高く隆起させることができる。したがって、より多くの排泄液を吸収できる効果を有する。
【００１４】
＜請求項５に記載の発明＞
前記矩形格子状のセルを形成する接合部のうち前後方向に延在する接合部は、弱接合部である、請求項４に記載の吸収性物品。
【００１５】
弱接合部に隣接するセル内の粉粒体が排泄液を吸収して隆起すると、接合が剥離して隣接するセルどうしが合体して大きなセルとなる。この大きなセルの当該シートも当然に収縮加工されているため、さらに当該シートの隆起を高くすることができ、排泄液の吸収量を増加させることができる。また、通常の接合部（弱接合部でないもの）は隆起しないので排泄液の拡散が方向付けられる。
【００１６】
【００１７】
【００１８】
【００１９】
【発明の効果】
【００２０】
本発明によると、シートの単位面積当たりの隆起高さをより高め、排泄液をより多く吸収できる吸収性物品となる。
【図面の簡単な説明】
【００２１】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の６−６断面図である。
【図４】図１の７−７断面図である。
【図５】（ａ）図１の８−８断面図、（ｂ）図１の９−９断面図である。
【図６】図１の５−５断面図である。
【図７】表側シート及び裏側シートの加工例である。
【図８】表側シート及び裏側シートの波型加工の概念図である。
【図９】接合部の接合パターンの実施例の平面図とその４−４断面図である。
【図１０】接合部の接合パターンの実施例の平面図である。
【図１１】収縮率に強弱をつけた吸収体の断面図である
【図１２】吸収体の膨張前後の断面図である。
【発明を実施するための形態】
【００２２】
以下、本発明を実施するための形態について説明する。
従来より吸収性物品は、例えば、使い捨ておむつ、生理用ナプキン等、その使用は多岐に亘る。その中でも、吸収性物品を使い捨ておむつの内部に装着した場合の形態を詳説する。なお、以下の説明及び図面は、本発明の一実施形態を示したものにすぎない。
【００２３】
図１〜７に示すように、本発明の吸収性物品は、表側シート５１と、その裏側に配された裏側シート５２とを有し、前記表側シート５１と前記裏側シート５２とが接合されて多数のセル５５が形成され、前記セル５５内に高吸収性ポリマー粒子５３を含む粉粒体が収められて吸収体５０が構成され、前記高吸収性ポリマー粒子５３を含む粉粒体の少なくとも一部は前記表側シート５１及び前記裏側シート５２の少なくともいずれか一方に固着されておらず、前記表側シート及び前記裏側シートのうち、少なくとも一方の、シートどうしが接合された部位以外の部位は、襞型に収縮加工されたものである、ことを特徴とする。また、好ましくは、その襞型が、吸収体５０の幅方向ＷＤに収縮加工されたものであるとよい。
【００２４】
（襞の形状）
表側シート５１、裏側シート５２（以下、表側、裏側を特定して説明する必要のない場合は、単に「シート５１、５２」と記載する。）の襞とは、シート５１、５２において、突起部とへこみ部が規則的に繰り返して形成された面をいう。シート５１、５２の素材は、後述するように液透過性素材又は液不透過性素材、不織布等を用いることができる。この不織布を例えば規則的に折り畳み、加圧処理することで、波形状の襞型が形成される。また、凹凸ロールで加圧処理することで、波形状や凹凸形状の襞型が形成される。加工された襞型の不織布は、その形状が維持され、自然に加工前の襞のない状態には戻らない。
襞と襞との間隔（一周期）は３〜２５ｍｍ、襞の振幅は１〜２５ｍｍとするのが好ましい。
襞型に加工されたシート５１、５２に対し襞を伸ばす方向に力を加えると、襞は容易に伸びる。したがって、高吸収性ポリマー粒子５３を内包した襞型に加工されたシート５１、５２に液体を吸収させると高吸収性ポリマー粒子５３の膨張により、このシート５１、５２の襞も少なくとも収縮率（収縮率の定義は、後述する。）の分だけ伸びることになる。なお、不織布自体もある程度の伸張性を有する。
図７に示すようにシート５１、５２の襞型の加工は、例えば、波型加工、凹凸加工、凹凸の窪みの底が幅広となった変形型凹凸加工、あるいは、ジグザグ線上に半円弧を連続して並べた軌跡形状とした加工にすることができる。
さらには、襞型の加工は、平面的に行うこともできる。例えば、突起形状が多数の格子点のごとく平面的に広がる加工などがある。
しかしながら、これらの加工に限定されるものではない。シート５１、５２の襞型は、高吸収性ポリマー粒子５３の膨張により襞が広がり、セル５５が隆起したときのセル５５のシート５１、５２の面積が、隆起前のセル５５そのものの面積より大きくなるように加工されていれば足りる。
なお、吸収性物品は、原則的にはこれらの加工により形成された表側シート５１と裏側シート５２と高吸収性ポリマー粒子５３とで構成されるものであり、別途新たなシート等の介在を要しないため、従来の薄さを保持できる。
【００２５】
（襞の方向）
図８に示すように、襞の方向については、シート５１、５２に波型加工を施した場合を例にすると、シート５１、５２の表面には、山折り部の直線が平行して多数形成され、裏面には、谷折り部の直線が同様に平行して同数形成される、いわゆる、ストライプ型に形成される。この山折り部の直線方向は、吸収体５０の前後方向ＬＤに対して、平行に配してよく、また、垂直に配してもよい。ただし、以下便宜上、特段言及がない場合は、平行に配するものとして説明する。
【００２６】
（収縮）
上記加工されたシート５１、５２は、加工前のシート５１、５２と比較し、収縮する。ここで、収縮率は次のように定義される。
収縮率（％）＝（加工前のシート５１、５２の面積−加工後のシート５１、５２の面積）／（加工前のシート５１、５２の面積）×１００
【００２７】
上述した伸長率は、シートの両側からそれぞれ反対方向に、シートを引っ張って伸ばした場合の、元のシート長に対する伸び率をいうものであり、ここでいう収縮率とは異なる概念である。
【００２８】
ところで、排泄液をより多く吸収できたほうがよいとする観点からは、収縮率を高めて、高吸収性ポリマー粒子５３を多く内包するのがよい。しかし、必要以上に高い収縮率にすると、初期状態時、つまり、製品を使用する前段階において襞の折りたたみが密なため、シート５１、５２が嵩張り、吸収体５０が厚手なものとなり、吸収体５０の利点である薄さが活かされず不便である。一方で、所定を下回る収縮率とすると、襞型が伸びてシート５１、５２が隆起するという効果が十分に得られない。したがって、収縮率は、例えば、１５〜５０％、より好ましくは、３５％とする。
【００２９】
（セル５５の形状）
セル５５とは、表側シート５１とその表側シート５１の裏側に配された裏側シート５２を接合して形成される、仕切られた一定容積を有する空間をいう。例えば、正方形状のセル５５を形成する場合は、表側シート５１とそれに配された裏側シート５２について正方形の各辺上を接合すればよい。
高吸収性ポリマー粒子５３は、原則的にはセル５５に収容される。しかし、表側シート５１と裏側シート５２の縁部付近に存在する高吸収性ポリマー粒子５３が外部へ流出することを防ぐため、表側シート５１と裏側シート５２の縁部一周に渡り縁部接合部を延在しておくことが好ましい。
【００３０】
セル５５のシート５１、５２は襞型に収縮加工されたものであるため、セル５５内の高吸収性ポリマー粒子５３が排泄液を吸収すると、襞型が高吸収性ポリマー粒子５３の膨張により伸びる。これによって、セル５５のシート５１、５２は、風船状に膨張する。
【００３１】
（接合部のパターン）
図９及び図１０に示すように、接合部のパターンとして、次のものとしてもよい。なお、図９については、表側シート５１が膨張する場合を例として示しているが、裏側シート５２が膨張する場合や、表側シート５１及び裏側シート５２の両方が膨張する場合も当然可能な形態である。
【００３２】
パターン１に、格子状の接合部を配置することができる。またより好ましくは吸収体５０の前後方向ＬＤに沿うようにヨコ長の矩形格子状の接合部５４を配置することができる。格子状に仕切られた各セル５５の幅方向ＷＤの長さａａは、前後方向ＬＤの長さｂｂよりも長くする。セル５５の大きさは、例えば、タテ８〜３０ｍｍ、ヨコ１０〜５０ｍｍ程度とすることが好ましい。こうすると、襞型の山折り部の方向が前後方向ＬＤと平行であるのでシート５１、５２は幅方向ＷＤに伸び、隆起したときの嵩が高くなり、その分排泄液を従来以上に吸収できる。また、嵩高に隆起することにより装着者の肌との接触面積が小さくなり、装着時の違和感が軽減される。さらに、下述の通り、高吸収性ポリマー粒子５３の一部は、少なくともシート５１、５２に対して非固着とすることができる。この場合、高吸収性ポリマー粒子５３はセル５５内で自由に移動可能であるが、シート５１、５２を襞型とすることで襞に引っかかり、自由な移動がある程度制限され、高吸収性ポリマー粒子５３の偏在を防ぐ効果もある。
【００３３】
パターン２に、図１０左上に示すように、まず、上記パターン１と同様に矩形格子状の接合部５４を配置したうえで、幅方向ＷＤ中央に位置する、隣り合う２つのセル５５を特定する。その２つのセル５５から前後方向ＬＤに延在するセル５５列のうち、千鳥状に位置するセル５５群を更に特定する。そのセル５５群の各々について、４区画の矩形に等分に仕切るように接合部５４を設ける。こうすると、隆起したときに吸収体５０の幅方向ＷＤの中央２列において隆起の嵩高さに差ができるため、排泄液の拡散の方向性にバリエーションができる。
【００３４】
パターン３に、格子状の接合部５４及び襞型の向きを上記パターン１と同様に配置する。ただし、前後方向ＬＤの接合部の接合強度を弱とする。セル５５の大きさは、例えば、タテ８〜３０ｍｍ、ヨコ（弱接合部５４ｂ間の距離）１０〜５０ｍｍ程度とすることが好ましい。こうすると、高吸収性ポリマー粒子５３の膨張により弱接合部５４ｂが剥離する。シート５１、５２は、隆起して幅方向ＷＤに延在する略半筒状となる。この略半筒形状の延在物が前後方向ＬＤに並列に複数本形成されるので、さらなる排泄液は前後方向ＬＤに拡散しづらくなる。また、パターン１と比較して弱接合部５４ｂも隆起する余地があるため排泄液の吸収を多く見込める。
【００３５】
パターン４に、幅方向ＷＤの端部からもう一方の端部まで、接合部５４を波形状に形成し、その波形状を前後方向ＬＤに複数本配置する。複数本の波形状が密に配されることで、ほぼ閉じられた空間（セル５５）が波形状間に形成される。波形状の大きさは、例えば、周期長さ２０〜１００ｍｍ、振幅８〜３０ｍｍ程度とすることが好ましい。こうすると、接合部５４が直線でないため排泄液が直線的に拡散せず、吸収体５０の端部までの排泄液の拡散が遅くなり、液漏れ防止効果がある。
【００３６】
パターン５に、平面に菱形を隙間なく敷き詰めた形状、すなわち、斜方格子状にするとよい。菱形のセル５５の対角線の長さは、例えば、タテ８〜３０ｍｍ、ヨコ１０〜５０ｍｍ程度とすることが好ましい。こうすると、排泄液の拡散が斜め方向に広がり、幅方向ＷＤや前後方向ＬＤに直接的に拡散することを防止できる。
【００３７】
（隆起）
次に高吸収性ポリマー粒子５３の膨張について説明する。
排泄液がシート５１、５２を透過しセル５５内の高吸収性ポリマー粒子５３に吸収されると、その高吸収性ポリマー粒子５３は所定の体積に膨張する。隣在する高吸収性ポリマー粒子５３も排泄液の吸収により、続いて膨張する。このように隣在する高吸収性ポリマー粒子５３は、次々と膨張していき、セル５５のシート５１、５２に形成された襞型を押し広げようとする。その結果、当初排泄液を吸収する前の萎んでいたシート５１、５２の襞型が、内部の高吸収性ポリマー粒子５３の膨張力によって展開して広がり隆起した状態となる。なお、図１２は表側シート５１が膨張する場合を例に示しているが、裏側シート５２が膨張する場合や、表側シート５１及び裏側シート５２の両方が膨張する場合も当然可能な形態である。
【００３８】
なお、前述した、特許文献１では、高吸収性ポリマー粒子５３の吸収によりシートが隆起するとしているが、これは、シート自体の伸長率によるものである。一方、本発明における隆起は、シート自体の伸長率によるものではなく、あらかじめ加工された襞型が展開して広がったことによるものであり、隆起する手段が全く異なるものである。また、本発明では、収縮率を任意に変更することによって、吸収性物品の目的に応じて隆起の嵩高さの程度を調節できるという利点を有する。
【００３９】
（収縮率の高低）
シート５１、５２は、収縮率に高低差をつけたものを使用してもよい。つまり、収縮率が高い範囲と低い範囲が規則的に繰り返して加工されるものを使用できる。例えば、波加工において収縮率が３０％（高収縮率）の部分と、１５％（低収縮率）の部分を交互に繰り返すように加工することができる。
【００４０】
（高低差のある実施例）
図１１に示すように、上記パターン１の格子状のセル５５について、収縮率に高低差を設けると、高収縮率で形成されたセル５５列と、低収縮率で形成されたセル５５列が幅方向ＷＤに交互に繰り返す吸収体５０を形成することができる。この吸収体５０が排泄液を吸収すると、高く隆起するセル５５と低く隆起するセル５５が幅方向ＷＤに交互に形成されるため、排泄液の幅方向ＷＤへの拡散を防ぐ効果が期待できる。
また、シート５１、５２の収縮率を幅方向ＷＤの中央付近のセル５５列は高めとし、左右の端部のセル５５列は低めとすると、排泄液の吸収により中央付近のセル５５列の方が端部のセル５５列と比較し、より高く隆起する吸収体５０となる。この吸収体５０は、特に一回の排泄液の量は少ないが、複数回に亘り排泄するケースに対応できる。
さらに、隆起高さの差を顕著にするため、高吸収性ポリマー粒子５３の目付け量に差を設けてもよい。高収縮率で形成されたセル５５内の高吸収性ポリマー粒子５３の目付け量を２００〜３５０ｇ／ｍ2、低収縮率で形成されたセル５５内の目付量を５０〜２００ｇ／ｍ2とするとよい。なお、図１１は表側シート５１が膨張する場合を例に示しているが、裏側シート５２が膨張する場合や、表側シート５１及び裏側シート５２の両方が膨張する場合も当然可能な形態である。
【００４１】
＜吸収性物品の例＞
図１〜図６はテープタイプ使い捨ておむつの一例を示しており、図中の符号Ｘはファスニングテープを除いたおむつの全幅を示しており、符号Ｌはおむつの全長を示している。各構成部材は、以下に述べる固定又は接合部分以外も、必要に応じて公知のおむつと同様に固定又は接合される。これらの固定又は接合のための手段としては、ホットメルト接着剤や溶着（加熱溶着、超音波溶着）を適宜選択することができる。
【００４２】
このテープタイプ使い捨ておむつは、透液性トップシートと、外面側に位置する液不透過性シート１１との間に吸収体５０が介在された基本構造を有しており、吸収体５０の前側及び後側にそれぞれ延出する部分であって、かつ吸収体５０を有しない部分である腹側エンドフラップ部ＥＦ及び背側エンドフラップ部ＥＦを有するとともに、吸収体５０の側縁よりも側方に延出する一対のサイドフラップ部ＳＦを有している。背側部分Ｂにおけるサイドフラップ部ＳＦにはファスニングテープ１３がそれぞれ設けられており、おむつの装着に際しては、背側部分Ｂのサイドフラップ部ＳＦを腹側部分Ｆのサイドフラップ部ＳＦの外側に重ねた状態で、ファスニングテープ１３を腹側部分Ｆ外面の適所に係止する。
【００４３】
また、このテープタイプ使い捨ておむつでは、吸収性本体部１０並びに各サイドフラップ部ＳＦの外面全体が外装シート１２により形成されている。特に、吸収体５０を含む領域においては、外装シート１２の内面側に液不透過性シート１１がホットメルト接着剤等の接着剤により固定され、さらにこの液不透過性シート１１の内面側に吸収体５０、中間シート４０、及びトップシート３０がこの順に積層されている。トップシート３０及び液不透過性シート１１は図示例では長方形であり、吸収体５０よりも前後方向ＬＤ及び幅方向ＷＤにおいて若干大きい寸法を有しており、トップシート３０における吸収体５０の側縁よりはみ出る周縁部と、液不透過性シート１１における吸収体５０の側縁よりはみ出る周縁部とがホットメルト接着剤などにより接合されている。また液不透過性シート１１は、トップシート３０よりも若干幅広に形成されている。
【００４４】
さらに、この吸収性本体部１０の両側には、装着者の肌側に突出（起立）する側部立体ギャザー６０が設けられており、この側部立体ギャザー６０を形成するギャザーシート６２が、トップシート３０の両側部上から各サイドフラップ部ＳＦの内面までの範囲に固着されている。
【００４５】
以下、各部の詳細について順に説明する。
（外装シート）
外装シート１２は製品外面を構成するシートである。外装シート１２は、両側部における前後方向ＬＤの中央部が括れた形状とされており、ここが着用者の脚を囲む部位となる。外装シート１２としては不織布が好適であるが、これに限定されない。不織布の種類は特に限定されず、素材繊維としては、例えばポリエチレン又はポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。外装シート１２は省略することもでき、その場合には液不透過性シート１１を外装シート１２と同形状として、製品外面を構成することができる。
【００４６】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、この他にも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂又は疎水性樹脂や撥水剤の塗工といった方法により、防水フィルムを用いずに液不透過性としたシートも、液不透過性シート１１として用いることができる。
【００４７】
（トップシート）
トップシート３０は液透過性を有する有孔又は無孔の不織布を用いることができる。不織布の構成繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００４８】
（中間シート）
中間シート４０は、トップシート３０を透過した排泄液を吸収体５０側へ速やかに移動させるため、及び逆戻りを防ぐために、トップシート３０の裏面に接合されているものである。中間シート４０及びトップシート３０間の接合は、ホットメルト接着剤を用いる他、ヒートエンボスや超音波溶着を用いることもできる。中間シート４０としては、不織布を用いる他、多数の透過孔を有する樹脂フィルムを用いることもできる。不織布としては、トップシート３０の項で説明したものと同様の素材を用いることができるが、トップシート３０より親水性が高いものや、繊維密度が高いものが、トップシート３０から中間シート４０への液の移動特性に優れるため好ましい。
【００４９】
図示の形態の中間シート４０は、吸収体５０の幅より短く中央に配置されているが、全幅にわたって設けてもよい。中間シート４０の前後方向ＬＤの長さは、おむつの全長と同一でもよいし、吸収体５０の長さと同一でもよいし、液を受け入れる領域を中心にした短い長さ範囲内であってもよい。
【００５０】
（側部立体ギャザー）
トップシート３０上における排泄物の横方向移動を阻止し、横漏れを防止するために、幅方向ＷＤにおける製品の両側の内面から突出（起立）する側部立体ギャザー６０を設けるのは好ましい。
【００５１】
この側部立体ギャザー６０は、ギャザーシート６２と、このギャザーシート６２に前後方向ＬＤに沿って伸長状態で固定された細長状弾性伸縮部材６３とにより構成されている。このギャザーシート６２としては撥水性不織布を用いることができ、また弾性伸縮部材６３としては糸ゴム等を用いることができる。弾性伸縮部材６３は、図１及び図３に示すように各複数本設ける他、各１本設けることができる。
【００５２】
ギャザーシート６２の内面は、トップシート３０の側部上に幅方向ＷＤの固着始端を有し、この固着始端から幅方向ＷＤの外側の部分は、液不透過性シート１１の側部および当該部分に位置する外装シート１２の側部にホットメルト接着剤などにより固着されている。
【００５３】
脚周りにおいては、側部立体ギャザー６０の固着始端より幅方向ＷＤの内側は、製品前後方向ＬＤの両端部ではトップシート３０上に固定されているものの、その間の部分は非固定の自由部分であり、この自由部分が弾性伸縮部材６３の収縮力により起立するようになる。おむつの、装着時には、おむつが舟形に体に装着されるので、そして弾性伸縮部材６３の収縮力が作用するので、弾性伸縮部材６３の収縮力により側部立体ギャザー６０が起立して脚周りに密着する。その結果、脚周りからのいわゆる横漏れが防止される。
【００５４】
図示形態と異なり、ギャザーシート６２の幅方向ＷＤの内側の部分における前後方向ＬＤの両端部を、幅方向ＷＤの外側の部分から内側に延在する基端側部分と、この基端側部分の幅方向ＷＤの中央側の端縁から身体側に折り返され、幅方向ＷＤの外側に延在する先端側部分とを有する二つ折り状態で固定し、その間の部分を非固定の自由部分とすることもできる。
【００５５】
（平面ギャザー）
各サイドフラップ部ＳＦには、図１〜図３に示すように、ギャザーシート６２の固着部分のうち固着始端近傍の幅方向ＷＤの外側において、ギャザーシート６２と液不透過性シート１１との間に、糸ゴム等からなる脚周り弾性伸縮部材６４が前後方向ＬＤに沿って伸長された状態で固定されており、これにより各サイドフラップ部ＳＦの脚周り部分が平面ギャザーとして構成されている。脚周り弾性伸縮部材６４はサイドフラップ部ＳＦにおける液不透過性シート１１と外装シート１２との間に配置することもできる。脚周り弾性伸縮部材６４は、図示例のように各側で複数本設ける他、各側に１本のみ設けることもできる。
【００５６】
（ファスニングテープ）
図１、図２及び図６に示されるように、ファスニングテープ１３は、おむつの側部に固定されたテープ取付部１３Ｃ、及びこのテープ取付部１３Ｃから突出するテープ本体部１３Ｂをなすシート基材と、このシート基材におけるテープ本体部１３Ｂの幅方向ＷＤの中間部に設けられた、腹側に対する係止部１３Ａとを有し、この係止部１３Ａより先端側が摘み部とされたものである。ファスニングテープ１３のテープ取付部１３Ｃは、サイドフラップ部における内側層をなすギャザーシート６２及び外側層をなす外装シート１２間に挟まれ、かつホットメルト接着剤により両シート６２，１２に接着されている。また、係止部１３Ａはシート基材に接着剤により剥離不能に接合されている。
【００５７】
係止部１３Ａとしては、メカニカルファスナー（面ファスナー）のフック材（雄材）が好適である。フック材は、その外面側に多数の係合突起を有する。係合突起の形状としては、レ字状、Ｊ字状、マッシュルーム状、Ｔ字状、ダブルＪ字状（Ｊ字状のものを背合わせに結合した形状のもの）等が存在するが、いずれの形状であっても良い。もちろん、ファスニングテープ１３の係止部として粘着材層を設けることもできる。
【００５８】
また、テープ取付部からテープ本体部までを形成するシート基材としては、スパンボンド不織布、エアスルー不織布、スパンレース不織布等の各種不織布の他、プラスチックフィルム、ポリラミ不織布、紙やこれらの複合素材を用いることができる。
【００５９】
（ターゲットシート）
腹側部分Ｆにおけるファスニングテープ１３の係止箇所には、係止を容易にするためのターゲットを有するターゲットシート１２Ｔを設けるのが好ましい。ターゲットシート１２Ｔは、係止部がフック材１３Ａの場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。また、腹側部分Ｆにおけるファスニングテープ１３の係止箇所が不織布からなる場合、例えば図示形態の外装シート１２が不織布からなる場合であって、ファスニングテープ１３の係止部がフック材１３Ａの場合には、ターゲットシート１２Ｔを省略し、フック材１３Ａを外装シート１２の不織布に絡ませて係止することもできる。この場合、ターゲットシート１２Ｔを外装シート１２と液不透過性シート１１との間に設けてもよい。
【００６０】
（吸収体）
吸収体５０は、排泄物の液分を吸収保持する部分である。吸収体５０は、表側シート５１と、その裏側に配された裏側シート５２と、高吸収性ポリマー粒子５３で構成される。高吸収性ポリマー粒子５３を、吸収体から脱落しないようにするために、表側シート５１と裏側シート５２で挟み、その周囲を接合して形成されたセル５５の中に収容する。このようにして、吸収体５０は多数のセル５５を有することができる。また、表側シート５１と裏側シート５２との間にさらに、図示しない中側シート８０を配することができる。
吸収体５０は、その表裏少なくとも一方側の部材に対してホットメルト接着剤等の接着剤を介して接着（接合）することができる。セル５５の接合部５４は、一様なパターンで接合しており、表側シート５１、裏側シート５２は、上述の襞型加工されたものである。接合部５４により囲まれた多数のセル５５に高吸収性ポリマー粒子５３を分配保持させることにより、吸収体５０における高吸収性ポリマー粒子５３の偏在を防止できる。
また、吸収体５０は、図示しない包装シートにより包装することができる。この場合、一枚の包装シートを吸収体５０の表裏面及び両側面を取り囲むように筒状に巻き付ける他、２枚の包装シートで表裏両側から挟むようにして包装することができる。包装シートとしては、ティッシュペーパ、特にクレープ紙、不織布、ポリラミ不織布、小孔が開いたシート等を用いることができる。ただし、高吸収性ポリマー粒子５３が抜け出ないシートであるのが望ましい。包装シートに不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。包装シートで吸収体５０を包装する場合、吸収体５０の表裏いずれか一方側にパルプ繊維を積繊させ、これらをひとまとめで包装シートで包装することもできる。
【００６１】
表側シート５１は、吸収体５０の形成素材であり、裏側シート５２と一対として用い、高吸収性ポリマー粒子５３を吸収体５０内に保持するものである。表側シート５１は、液透過性素材であっても、液不透過性素材であっても良いが、図示形態のようにトップシート３０側に位置する場合には液透過性素材であることが好ましい。表側シート５１は、トップシート３０と同様に、有孔又は無孔の不織布や多孔性プラスチックシートを用いることができる。表側シート５１に不織布を用いる場合、その構成繊維としては、例えばポリエチレン又はポリプロピレン等のオレフィン系、ポリエステル系、ポリアミド系等の合成繊維（単成分繊維の他、複合繊維も含む）の他、レーヨンやキュプラ等の再生繊維、綿等の天然繊維等、特に限定なく選択することができるが、熱加工性に優れる点で熱可塑性樹脂の繊維が好適である。不織布の繊維結合法は特に限定されないが、高吸収性ポリマー粒子５３の脱落を防止するため、スパンボンド法、メルトブローン法、ニ一ドルパンチ法のように繊維密度が高くなる結合法が好ましい。多孔性プラスチックシートを用いる場合、その開孔径は、高吸収性ポリマー粒子５３の脱落を防止するため、高吸収性ポリマー粒子５３の外形より小さくするのが好ましい。また、表側シート５１の素材が疎水性の場合には、親水剤を含有させることもできる。
【００６２】
製造時の高吸収性ポリマー粒子５３の配置を容易にするため、及び吸収膨張後の容積確保のために、表側シート５１における各セル５５を構成する部分には、裏側から表側に窪む窪みが形成されていると好ましいが、形成されていなくてもよい。
【００６３】
裏側シート５２は、表側シート５１と一対として用い、高吸収性ポリマー粒子５３を吸収体５０内に保持するものである。裏側シート５２としては、表側シート５１と同様の素材とすることもできるが、表側シート５１を液透過性素材により構成する場合には、裏側シート５２に液不透過性素材を採用することもできる。裏側シート５２に用いうる液不透過性素材としては、液不透過性シート１１の項で述べた素材の中から適宜選択して用いることができる。図示しないが、表側シート５１及び裏側シート５２は、一枚の素材が二つに折り重ねられた一方の層及び他方の層とすることもできる。
また、中側シート８０は、表側シート５１と同様の素材とすることができ、液透過性素材であっても、液不透過性素材であっても良い。図示しないが、表側シート５１、中側シート及び裏側シート５２は、一枚の素材を三つに折り重ねた三層で構成することもできる。
【００６４】
高吸収性ポリマー粒子５３は、原則的にはその全てを表側シート５１及び裏側シート５２に対して非固定とし、自由に移動可能とする。ただし、必ずしも全ての高吸収性ポリマー粒子５３が非固定である必要はなく、粒子５３の一部（例えば粒子５３全量の０〜５０質量％、好ましくは０〜３０質量％、より好ましくは０〜１０質量％）が表側シート５１及び裏側シート５２に接着又は粘着されていてもよい。また、高吸収性ポリマー粒子５３はある程度塊状化していても良い。
【００６５】
高吸収性ポリマー粒子５３としては、この種の吸収性物品に使用されるものをそのまま使用できる。高吸収性ポリマー粒子５３の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００６６】
高吸収性ポリマー粒子５３の材料としては、特に限定無く用いることができるが、吸水量が４０ｇ／ｇ以上のものが好適である。高吸収性ポリマー粒子５３としては、でんぷん系、セル５５ロース系や合成ポリマー系などのものがあり、でんぷん−アクリル酸（塩）グラフト共重合体、でんぷん−アクリロニトリル共重合体のケン化物、ナトリウムカルボキシメチルセル５５ロースの架橋物やアクリル酸（塩）重合体などのものを用いることができる。高吸収性ポリマー粒子５３の形状としては、通常用いられる粉粒体状のものが好適であるが、他の形状のものも用いることができる。
【００６７】
高吸収性ポリマー粒子５３としては、吸水速度が７０秒以下、特に４０秒以下のものが好適に用いられる。吸水速度が遅すぎると、吸収体５０内に供給された液が吸収体５０外に戻り出てしまういわゆる逆戻りを発生しやすくなる。
【００６８】
また、高吸収性ポリマー粒子５３としては、ゲル強度が１０００Ｐａ以上のものが好適に用いられる。これにより、嵩高な吸収体５０とした場合であっても、液吸収後のべとつき感を効果的に抑制できる。
【００６９】
高吸収性ポリマー粒子５３の目付け量は、当該吸収体５０の用途で要求される吸収量に応じて適宜定めることができる。したがって一概には言えないが、５０〜３５０ｇ／ｍ2とすることができる。目付け量が５０ｇ／ｍ2未満では、吸収量を確保し難くなる。３５０ｇ／ｍ2を超えると、効果が飽和する。
【００７０】
表側シート５１及び裏側シート５２を接合する接合部５４は、吸収体５０の全体にわたり一様な配置で設けられているが、部分的に変更することもできる。接合部５４は、超音波溶着やヒートシールのように表側シート５１及び裏側シート５２の溶着により接合されていることが望ましいが、ホットメルト接着剤を介して接合されていても良い。
【００７１】
表側シート５１及び裏側シート５２の接合部５４は、各セル５５を取り囲むように配置され、隣接するセル５５間の境界となる限り、図示形態のように連続線状に形成する他、点線状（各セル５５を取り囲む方向に断続的）に形成することもできる。接合部５４を断続的に形成する場合、セル５５を取り囲む方向における接合部５４の間には、高吸収性ポリマー粒子５３が存在しないか又は存在するとしてもセル５５内よりも少ないものとされる。
【００７２】
接合部５４は、原則的には隣接するセル５５内の高吸収性ポリマー粒子５３の膨張力により剥離しない。しかし、弱接合部５４ｂは同膨張力により剥離可能である。というのも、高吸収性ポリマー粒子５３の一部は、少なくとも表側シート５１又は裏側シート５２に固着されておらず、これらシート５１、５２に挟まれた範囲で自由に移動可能であり、シート５１、５２の端から脱落する可能性がある。脱落させないために周囲を接合したセル５５を設けて、そのセル５５内に高吸収性ポリマー粒子５３を留めることとしている。これに対して排泄液を吸収させると、高吸収性ポリマー粒子５３は膨張するが、一つのセル５５の膨張後の容積には限度があり、ゲルブロッキングを引き起こし、十分な量の排泄液を吸収しきれない場合が生じ得る。そこで、高吸収性ポリマー粒子５３の膨張力で接合部が容易に剥離できるようにすることで、隣り合うセル５５どうしが合体して、より多くの排泄液を吸収できるようにする。したがって、弱接合部５４ｂを設けておくとよい。
【００７３】
一方で、幅方向ＷＤの最も外側に位置する接合部５４は、これが剥離すると吸収体５０の側方に高吸収性ポリマー粒子５３又はそのゲル化物が漏れ出るおそれがあるため接合部５４の強度を強くしておくことが望ましい。同様の観点から、表側シート５１及び裏側シート５２はセル５５形成領域よりも幅方向ＷＤの外側にある程度延在させ、この延在部分に補強のために縁部接合部５４ｃを施しておくのは好ましい。
【００７４】
接合部５４の接合強度（表側シート５１及び裏側シート５２の剥離に抗する強度）の差異は、接合部５４の面積を変化させることにより形成するのが簡単でよいが、これに限定されず、例えば接合部５４をホットメルト接着剤により形成する場合にはホットメルト接着剤の種類を部位により異ならしめるといった手法を採用することもできる。特に、表側シート５１及び裏側シート５２を溶着することにより接合部５４を形成する場合、弱接合部５４ｂは、接合部を点状にすることでも形成できる。
【００７５】
弱接合部５４ｂを剥離可能とするために、弱接合部５４ｂに隣接するセル５５の容積よりも当該セル５５内の高吸収性ポリマー粒子５３の飽和吸収時の体積が十分に大きくなるように、各セル５５内に配置される高吸収性ポリマー粒子５３の種類及び量を定めることができる。
【００７６】
上記例は、セル５５内に高吸収性ポリマー粒子５３のみ内包させているが、高吸収性ポリマー粒子５３とともに消臭剤粒子等、高吸収性ポリマー粒子５３以外の粉粒体を内包させることもできる。
【００７７】
＜明細書中の用語の説明＞
明細書中で以下の用語が使用される場合、明細書中に特に記載がない限り、以下の意味を有するものである。
・「ＬＤ方向」及び「ＷＤ方向」とは、製造設備における流れ方向（ＬＤ方向）及びこれと直交する横方向（ＷＤ方向）を意味し、いずれか一方が製品の前後方向となるものであり、他方が製品の幅方向となるものである。不織布のＬＤ方向は、不織布の繊維配向の方向である。繊維配向とは、不織布の繊維が沿う方向であり、例えば、ＴＡＰＰＩ標準法Ｔ４８１の零距離引張強さによる繊維配向性試験法に準じた測定方法や、前後方向及び幅方向の引張強度比から繊維配向方向を決定する簡易的測定方法により判別することができる。
・「展開状態」とは、収縮や弛み無く平坦に展開した状態を意味する。
・「伸長率」は、自然長を１００％としたときの値を意味する。
・「人工尿」は、尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したものであり、特に記載の無い限り、温度４０度で使用される。
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１０倍して１平米あたりの重さを算出し、目付けとする。
・「厚み」は、自動厚み測定器（ＫＥＳ−Ｇ５  ハンディー圧縮試験機）を用い、荷重：０．０９８Ｎ／ｃｍ2、及び加圧面積：２ｃｍ2の条件下で自動測定する。
・吸水量は、ＪＩＳ  Ｋ７２２３−１９９６「高吸水性樹脂の吸水量試験方法」によって測定する。
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
・試験や測定における環境条件についての記載がない場合、その試験や測定は、標準状態（試験場所は、温度２３±１℃、相対湿度５０±２％）の試験室又は装置内で行うものとする。
・各部の寸法は、特に記載がない限り、自然長状態ではなく展開状態における寸法を意味する。
【符号の説明】
【００７８】
１１…液不透過性シート、１２…外装シート、１２Ｔ…ターゲットシート、１３…ファスニングテープ、１３Ａ…係止部、１３Ｂ…テープ本体部、１３Ｃ…テープ取付部、３０…トップシート、４０…中間シート、６０…側部立体ギャザー、６２…ギャザーシート、５０…吸収体、５１…表側シート、５２…裏側シート、５３…高吸収性ポリマー粒子、５４…接合部、５４ｂ…弱接合部、５５…セル、８０…中側シート、Ｈ…高収縮率、Ｌ…低収縮率、ＬＤ…前後方向、ＷＤ…幅方向。
【手続補正２】
【補正対象書類名】特許請求の範囲
【補正対象項目名】全文
【補正方法】変更
【補正の内容】
【特許請求の範囲】
【請求項１】
表側シートと、
その裏側に配された裏側シートとを有し、
前記表側シートと前記裏側シートとが接合されて多数のセルが形成され、
前記セル内に高吸収性ポリマー粒子を含む粉粒体が収められて吸収体が構成され、
前記高吸収性ポリマー粒子を含む粉粒体の少なくとも一部は前記表側シート及び前記裏側シートの少なくともいずれか一方に固着されておらず、
前記表側シート及び前記裏側シートのうち、少なくとも一方の、シートどうしが接合された部位以外の部位は、襞型に収縮加工されたものであり、
前記表側シート及び前記裏側シートのうち、少なくとも一方のシートは、収縮率が高い範囲と低い範囲とに繰り返し加工されたものであり、
前記高吸収性ポリマー粒子の目付けは、前記収縮率が高い範囲では前記収縮率が低い範囲よりも高くされている吸収性物品。
【請求項２】
前記襞型が、前記吸収体の幅方向に収縮する波型である、請求項１に記載の吸収性物品。
【請求項３】
前記収縮加工された襞型の収縮率が１５〜５０％である、請求項１又は請求項２に記載の吸収性物品。
【請求項４】
前記セルは、吸収体の幅方向に長い矩形格子状である、請求項１〜請求項３のいずれか１項に記載の吸収性物品。
【請求項５】
前記矩形格子状のセルを形成する接合部のうち前後方向に延在する接合部は、弱接合部である、請求項４に記載の吸収性物品。